(57)【要約】      （修正有）【課題】商品載置テーブルが片持ち支持されるときの商品載置テーブルのより円滑な移動を可能とする商品陳列用具を提供する。【解決手段】商品陳列用具１０は、前部及び後部と一対の側部とを有する商品載置テーブル１４と、商品載置テーブル上に商品を保持するための互いに相対する第１の保持板１６及び前後方向へ移動可能の第２の保持板１８と、第１の保持板に向けて第２の保持板にばね力を及ぼすばね部材２０と、商品載置テーブルを片持ち支持する、商品載置テーブルにその前後方向へ滑動可能に保持された一対の細長い支持部材２２とを備える。【選択図】図１
0003205996.tif 000002
【実用新案登録請求の範囲】
【請求項１】
前部及び後部と一対の側部とを有する商品載置テーブルと、
前記商品載置テーブル上に商品を保持するための互いに相対する第１の保持板及び第２の保持板であって前記商品載置テーブルの前部に設けられた第１の保持板及び前記商品載置テーブルにその前後方向へ移動可能に取り付けられた第２の保持板と、
前記第１の保持板に向けて前記第２の保持板にばね力を及ぼすばね部材と、
前記商品載置テーブルを片持ち支持するための一対の細長い支持部材であって前記商品載置テーブルにその前後方向へ滑動可能に保持された一対の細長い支持部材とを含む、商品陳列用具。
【請求項２】
両支持部材は、それぞれ、前記商品載置テーブルに設けられ該商品載置テーブルの前後方向へ伸びる一対の細長い溝に受け入れられている、請求項１に記載の商品陳列用具。
【請求項３】
各支持部材はフック状の先端部を有する、請求項１又は２に記載の商品陳列用具。
【請求項４】
さらに、前記商品載置テーブルの両側部上に該両側部を横断する方向へ移動可能にそれぞれ保持された一対のサイドガードを含む、請求項１〜３のいずれか１項に記載の商品陳列用具。
【請求項５】
各サイドガードは、前記商品載置テーブルの各側部上に位置する基板部と、該基板部に連なる壁板部と、該壁板部から前記商品載置テーブルの両側部を横断する方向へ伸びる一対のアーム部とを有し、各サイドガードは両アーム部を介して前記商品載置テーブルに保持されている、請求項４に記載の商品陳列用具。
【請求項６】
前記商品載置テーブルは、その前部及び後部にそれぞれ設けられ前記商品載置テーブルの両側部の横断方向へ伸びる一対の細長い穴を有し、
各サイドガードの一対のアーム部が前記一対の細長い穴に受け入れられている、請求項５に記載の商品陳列用具。
【請求項７】
前記商品載置テーブルはその前後方向へ伸びる一対の案内レールを有し、
前記第２の保持板は、両案内レールにそれぞれ滑動可能に係合する一対の凹溝を有する、請求項１〜６のいずれか１項に記載の商品陳列用具。
【考案の詳細な説明】
【技術分野】
【０００１】
本考案は、スーパーマーケットのような店舗に設置され購買客に対して奥から手前へと複数の商品を一列に並べて陳列する商品陳列用具に関する。より詳細には、商品に対して奥から手前に向けてばね力を及ぼす機能を有する、いわゆる自動前出し型の商品陳列用具に関する。
【背景技術】
【０００２】
従来、このような自動前出し型の商品陳列用具の一例として、後記特許文献１に記載されたものが提案されている。
【０００３】
前記従来の商品陳列用具は、前部及び後部と一対の側部とを有する商品載置テーブルと、該商品載置テーブル上に商品を保持するための互いに相対する第１の保持板及び第２の保持板であって前記商品載置テーブルの前部に設けられた第１の保持板及び前記商品載置テーブルにその前後方向へ移動可能に取り付けられた第２の保持板と、前記第１の保持板に向けて前記第２の保持板にばね力を及ぼすばね部材と、前記商品載置テーブルを滑動可能に支持するための一対のフックが設けられた支持板とを備える。
【０００４】
前記従来の商品陳列用具によれば、第１の保持板と第２の保持板との間に配置される複数の商品は、第１の保持板に向けてのばね力を受ける第２の保持板により押圧され、これにより相互間隔を詰めた状態におかれる。第２の保持板はばね力に抗して商品載置テーブルの後部に向けて移動させることができ、これにより商品の補充空間を作ることができる。
【０００５】
商品載置テーブルは、商品陳列の便宜、商品のレイアウト等のために、支持板を介してラックの横棒に片持ち支持される。商品載置テーブルは支持板上を滑動させることができ、これにより、手前に引き出し、また、奥に押し戻すことができる。
【０００６】
ところで、前記従来の商品陳列用具にあっては商品載置テーブルと支持板とが互いに面接触をしている。このため、商品載置テーブルの引き出し及び押し戻しの操作に比較的大きい力を必要とし、また、円滑性を欠く。
【先行技術文献】
【特許文献】
【０００７】
【特許文献１】米国特許第５８５５２８３号明細書
【考案の概要】
【考案が解決しようとする課題】
【０００８】
本考案の目的は、商品載置テーブルが片持ち支持されるときの商品載置テーブルのより円滑な移動を可能とする商品陳列用具を提供することにある。
【課題を解決するための手段】
【０００９】
本考案に係る商品陳列用具は、前部及び後部と一対の側部とを有する商品載置テーブルと、該商品載置テーブル上に商品を保持するための互いに相対する第１の保持板及び第２の保持板であって前記商品載置テーブルの前部に設けられた第１の保持板及び前記商品載置テーブルにその前後方向へ移動可能に取り付けられた第２の保持板と、前記第１の保持板に向けて前記第２の保持板にばね力を及ぼすばね部材と、前記商品載置テーブルを片持ち支持するための一対の細長い支持部材であって前記商品載置テーブルにその前後方向へ滑動可能に保持された一対の細長い支持部材とを備える。
【００１０】
本考案によれば、第１の保持板及び第２の保持板間において前記商品載置テーブル上に配置される複数の商品に対して、前記第１の保持板に向けてのばね力を受ける前記第２の保持板が押圧力を及ぼすことから、複数の商品をこれらの相互間隔が常に詰められた状態にして陳列することが可能である。前記第２の保持板を前記ばね力に抗して商品載置テーブルの後部に向けて移動させることにより商品を補充するための空間を作ることができる。
【００１１】
前記商品載置テーブルは、一対の支持部材を介して、店舗に設置される例えばラックの横棒に、片持ち支持することができる。片持ち支持された商品載置テーブルは、両支持部材に対してこれらの長手方向に相対移動させることができ、これにより、商品の購買客から見てその手前に引き出し、また、その奥に押し戻すことができる。前記商品載置テーブルの両支持部材に対する相対移動は、両支持部材がそれぞれ細長い形状を有しまた前記商品載置テーブルにその前後方向へ滑動可能に保持され、さらに、前記商品載置テーブルと前記両支持部材との接触面積が比較的小さいことから、比較的小さい力でまた円滑に行うことができる。
【００１２】
また、本考案によれば、前記商品載置テーブルの支持手段を前記一対の細長い支持部材で構成したことにより、商品陳列用具の全体的な構成をより簡単なものとすることができる。さらに、前記商品陳列用具の全体的構成の簡単化により、前記商品陳列用具の製造に要するコストの低減を図ることができる。
【００１３】
両支持部材は、それぞれ、前記商品載置テーブルに設けられ該商品載置テーブルの前後方向へ伸び一対の細長い溝に受け入れられているものとすることができる。これによれば、前記商品載置テーブルに対する両支持部材の相対移動及び前記商品載置テーブル内への両支持部材の収納が可能である。また、これにより、前記商品陳列用具のコンパクト化を図ることができる。
【００１４】
各支持部材はフック状の先端部を有するものとすることができる。これによれば、各支持部材を前記フック状の先端部を介して前記ラックの横棒に引掛けることにより、前記商品載置テーブルを片持ち支持状態におくことができる。
【００１５】
前記商品陳列用具は、さらに、前記商品載置テーブルの両側部上に該両側部を横断する方向へ移動可能にそれぞれ保持された一対のサイドガードを含むものとすることができる。これによれば、前記商品載置テーブル上に載せられる商品を両サイドガード間に位置するように整列された状態におくことができる。また、前記商品載置テーブルに対する両サイドガードの滑動により、両サイドガード相互間の間隔を商品の大きさに適合させることができる。
【００１６】
各サイドガードは、前記商品載置テーブルの各側部上に位置する基板部と、該基板部に連なる壁板部と、該壁板部から前記商品載置テーブルの両側部を横断する方向へ伸びる一対のアーム部とを有し、各サイドガードは両アーム部を介して前記商品載置テーブルに保持される。これによれば、各サイドガードはその基板部において前記商品載置テーブルの各側部上を移動することができ、また、その壁板部において前記商品載置テーブル上の商品に対する位置決めを行うことができる。
【００１７】
前記商品載置テーブルが、その前部及び後部にそれぞれ設けられ前記商品載置テーブルの両側部の横断方向へ伸びる一対の細長い穴を有し、各サイドガードの一対のアーム部が前記一対の細長い穴に受け入れられているものとすることができる。
【００１８】
前記商品載置テーブルはその前後方向へ伸びる一対の案内レールを有し、前記第２の保持板は、両案内レールにそれぞれ滑動可能に係合する一対の凹溝を有するものとすることができる。これによれば、前記商品載置テーブルに対する前記第２の保持板の移動時に生じる摩擦力の大幅な低減を図ることができ、これにより、前記第２の保持板の移動及び操作をより円滑なものとすることができる。
【００１９】
各サイドガードは、その基板部上に設けられ前記商品載置テーブルの前後方向へ伸びる、互いに平行な複数の突条を有するものとすることができる。これによれば、前記商品載置テーブル上に載せられる商品を前記複数の突条上に受け、これにより、前記商品載置テーブル上におけるその前後方向への前記商品の移動を低摩擦下でより円滑にすることができる。
【００２０】
また、前記商品載置テーブルが、各側部上に設けられその前後方向へ伸びる少なくとも一つの突条を有するものとすることができる。これによれば、前記商品載置テーブル上の商品は前記突条においても受けられることから、前記商品載置テーブル上における前後方向への商品の移動をより円滑にすることができる。
【図面の簡単な説明】
【００２１】
【図１】本考案の一実施形態に係る商品陳列用具を一の方向から見た斜視図である。
【図２】前記商品陳列用具を他の方向から見た斜視図である。
【図３】前記商品陳列用具の分解斜視図である。
【図４】商品載置テーブル内から一対の支持部材を引き出した状態にある前記商品陳列用具の斜視図である。
【図５】商品載置テーブル上に複数の商品が置かれた状態にある前記商品陳列用具の斜視図である。
【図６】前記商品陳列用具の横断面図である。
【図７】ラックの横棒に片持ち支持された複数の商品陳列用具の斜視図である。
【図８】陳列台上に配置された複数の商品陳列用具の斜視図である。
【考案を実施するための形態】
【００２２】
図１及び図２を参照すると、本考案の一実施形態に係る商品陳列用具が全体に符号１０で示されている。商品陳列用具１０は、スーパーマーケットのような店舗に設置され商品１２の陳列に供される（図７及び図８参照）。
【００２３】
商品陳列用具１０は、商品１２が載置される商品載置テーブル１４と、該商品載置テーブル上に商品１２（図５参照）を保持するための互いに相対する第１の保持板１６及び第２の保持板１８と、第１の保持板１６に向けて第２の保持板１８にばね力を及ぼすばね部材２０と、商品載置テーブル１４を片持ち支持するための一対の細長い支持部材２２とを含む。商品陳列用具１０は、好ましくは、さらに一対のサイドガード２４を含む。図示の商品陳列用具１０にあっては、その部品である商品載置テーブル１４、第１及び第２の保持板１６、１８、及び、両サイドガード２４がそれぞれプラスチック成形品からなり、ばね部材２０及び両支持部材２２がそれぞれ金属製品からなる。
【００２４】
図３及び図６に示すように、商品載置テーブル１４は全体に矩形の平面形状を有する板状体からなる。商品載置テーブル１４は商品１２の載置を受ける平坦面１５を有し、また、前部１４ａ、後部１４ｂ及びこれらの前後部に連なる一対の側部１４ｃを有する。図示の例において、商品載置テーブル１４の前後方向における長さ（長さ寸法）は、前記前後方向に直角な方向における長さ（幅寸法）より大きい。
【００２５】
第１の保持板１６は商品載置テーブル１４の前部１４ａに設けられている。第１の保持板１６は商品載置テーブル１４からその上方へ直立し、商品１２を平坦面１５上に留め置く働きをなす。図示の例において第１の保持板１６は商品載置テーブル１４と一体に形成されている。また、図示の第１の保持板１６は全体に矩形状を呈し、商品載置テーブル１４の前記幅寸法に等しい幅寸法を有する。第１の保持板１６は、好ましくは透明体からなり、これによれば、第１の保持板１６を通して商品１２の一部を見ることができる。第１の保持板１６は、図示の例に代えて、商品載置テーブル１４に取り外し可能に取り付けられたものとすることができる。
【００２６】
第２の保持板１８は商品載置テーブル１４にその前後方向へ移動可能に取り付けられている。第２の保持板１８は、商品載置テーブル１４からその上方へ直立し、第１の保持板１６と平行をなしている。第２の保持板１８は第１の保持板１６と共同して、商品１２を平坦面１５上に留め置く働きをなす。図示の第２の保持板１８は、第１の保持板１６より小さい幅寸法と、第１の保持板１６より大きい高さ寸法とを有する。
【００２７】
図示の例において、商品載置テーブル１４はその中央部に設けられ前後方向へ伸びる一対の案内レール２６を有し、また、第２の保持板１８は両案内レール２６にそれぞれ滑動可能に係合する一対の凹溝２８を有する（図６参照）。両案内レール２６は、それぞれ、商品載置テーブル１４に設けられ平坦面１５に開放する細長い矩形の穴３０の相対する両側縁部からなる。穴３０の両側縁部は商品載置テーブル１４の前後方向へ伸びている。他方、一対の凹溝２８は第２の保持板１８の下部に設けられている。これによれば、第２の保持板１８を商品載置テーブル１４の前後方向へ比較的低い摩擦力の作用下で円滑に移動させることができる。
【００２８】
ばね部材２０は、ゼンマイばね、好ましくは定荷重ばね、より好ましくは図示の変動荷重型ばねからなる。ばね部材２０はその先端部２０ａを引き出し可能であるように第２の保持板１８の下部に保持されている。先端部２０ａは、第２の保持板１８の下部に設けられたスリット３２（図６）を経て第１の保持板１６に向けて伸び、第１の保持板１６に至る手前において、商品載置テーブル１４の平坦面１５に固定されている。
【００２９】
これによれば、ばね部材２０のばね力を受ける第２の保持板１８は、第１及び第２の支持板１６、１８間に配置された複数の商品１２に押圧力を及ぼし、これらの商品１２の全部又は一部を移動させ、これらを隙間なく商品載置テーブル１４の前後方向に整列させる（図５参照）。前記変動荷重型ばねは、商品１２に対して、商品１２の数が多いときは比較的強い、また、商品１２の数が少ないときは比較的弱いばね力を及ぼすという特性を有する。第２の保持板１８はこれをばね部材２０のばね力に抗して商品載置テーブル１４の後部１４ｂに向けて移動させることができ、これにより、商品１２を補充するための空間又は隙間を作ることができる。
【００３０】
商品載置テーブル１４を片持ち支持するための両支持部材２２は、それぞれ、商品載置テーブル１４にその前後方向へ滑動可能に保持されている。図示の両支持部材２２は、商品載置テーブル１４の両側部１４ｃにそれぞれ設けられ、商品載置テーブル１４の前後方向へ伸びかつ下方に向けて開放する一対の細長い溝３３（図２、図６）に受け入れられている。両支持部材２２はそれぞれ両溝３３から任意の長さ分を引き出すことができる（図４参照）。両支持部材２２は、それぞれ、好ましくは比較的小さい厚さ寸法を有する扁平体からなるものとする。これにより、商品載置テーブル１４に対する支持部材２２の滑動時における摩擦力をより小さくすることができる。
【００３１】
図示の両支持部材２２はそれぞれフック状の先端部２３を有する。先端部２３は、店舗に設置されるラック３４の横棒３６（図７参照）を受け入れる凹所３８を有する。ここにおいて、横棒３６は非円形の横断面形状の一つである矩形の横断面形状を有し、支持部材２２の先端部２３の凹所３８は横棒３６の横断面形状に適合する、非円形の形状である矩形の形状を有する。
【００３２】
商品陳列用具１０は、両支持部材２２を両溝３３内に収容した態様（図５参照）及び両溝３３から引き抜いた態様（図８参照）での商品１２の陳列が可能である。図８に示すところでは、複数の商品陳列用具１０が陳列台４０上に配置されている。
【００３３】
再び図１及び図２を参照すると、一対のサイドガード２４は、それぞれ、商品載置テーブル１４の両側部１４ｃ（図３参照）上に該両側部を横断する方向へ移動可能に保持されている。商品載置テーブル１４に対する両サイドガード２４の移動により、両サイドガード２４相互間の間隔を商品１２の大きさ（図示の例では幅寸法）に適合させることができる。したがって、両サイドガード２４は、商品載置テーブル１４上に載せられる複数の商品１２を両サイドガード２４間に位置するように整列された状態におく働きをなす（図５参照）。
【００３４】
図示のサイドガード２４は、商品載置テーブル１４の各側部１４ｃ上に位置する基板部４２と、該基板部に連なる壁板部４４と、該壁板部から商品載置テーブル１４の両側部１４ｃを横断する方向へ伸びる一対のアーム部４６とを有し、各サイドガード２４は両アーム部４６を介して商品載置テーブル１４に保持されている。
【００３５】
図示の例にあっては、商品載置テーブル１４が、その前部１４ａ及び後部１４ｂにそれぞれ設けられ商品載置テーブル１４の両側部１４ｃの横断方向へ伸びる、両端開放の一対の細長い穴４８（図３参照）を有する。各サイドガード２４の両アーム部４６はそれぞれ両穴４８これらの開放端から挿入され、これらに受け入れられている。両穴４８に対する各サイドガード２４の両アーム部４６の差し込み量を調整することにより、両サイドガード２４間の相互間隔を調整することができる。
【００３６】
図３及び図６に示すように、各サイドガード２４は、好ましくは、その基板部４２上に設けられ商品載置テーブル１４の前後方向へ伸びる、互いに平行な複数の突条５０を有する。また、好ましくは、商品載置テーブル１４は、各側部１４ｃ上すなわち平坦面１５上に設けられ商品載置テーブル１４の前後方向へ伸びる少なくとも一つの突条５２を有する。これらの突条５０、５２は、両サイドガード２４の基板部４２及び平坦面１５上における商品載置テーブル１４の前後方向への商品１２の移動時おける摩擦力を低減し、商品１２の移動をより円滑にする。
【符号の説明】
【００３７】
１０  商品陳列用具
１２  商品
１４  商品載置テーブル
１６、１８  第１の保持板及び第２の保持板
２０  ばね部材
２２  支持部材
２４  サイドガード
【図１】
0003205996.tif 000003
【図２】
0003205996.tif 000004
【図３】
0003205996.tif 000005
【図４】
0003205996.tif 000006
【図５】
0003205996.tif 000007
【図６】
0003205996.tif 000008
【図７】
0003205996.tif 000009
【図８】
0003205996.tif 000010